(57)【要約】      （修正有）【課題】構造がシンプルで組み立て解体が行いやすく、置く必要がある靴の数量に応じて増減できるため使用効率が高く、且つ、使用スペースを節約することができる靴ラック構造を提供する。【解決手段】支持部材２と、少なくとも一つの垂直棒３と、少なくとも一つの横向配置部材４と、少なくとも一つの靴置きモジュール５と、からなる。少なくとも一つの垂直棒３は、前記支持部材２に取り外し可能に連結され、少なくとも一つの横向配置部材４は、前記垂直棒３の外側に嵌め込まれ、前記少なくとも一つの横向配置部材４周縁には、少なくとも一つの第一連結部材４１が設けられる。少なくとも一つの靴置きモジュール５は第二連結部材５１を備え、前記第二連結部材５１は、前記第一連結部材４１に取り外し可能に連結されて固定される。【選択図】図１
0003179054.tif 000002
【実用新案登録請求の範囲】
【請求項１】
支持部材と、少なくとも一つの垂直棒と、少なくとも一つの横向配置部材とからなる、靴ラック構造であって、
前記少なくとも一つの垂直棒は、前記支持部材に取り外し可能に連結され、  
少なくとも一つの横向配置部材は、前記垂直棒の外側に嵌め込まれ、前記少なくとも一つの横向配置部材の周縁には、少なくとも一つの第一連結部材が設けられることを特徴とする靴ラック構造。
【請求項２】
前記靴ラック構造は、更に、少なくとも一つの靴置きモジュールを備え、前記少なくとも一つの靴置きモジュールは、第二連結部材を備え、前記第二連結部材は、前記第一連結部材に取り外し可能に連結されて固定されることを特徴とする、請求項１に記載の靴ラック構造。
【請求項３】
前記少なくとも一つの横向配置部材は、複数の横向配置部材であり、各前記横向配置部材は、前記垂直棒の外側に間隔をあけて嵌め込まれることを特徴とする、請求項１に記載の靴ラック構造。
【請求項４】
前記支持部材は台座であり、前記少なくとも一つの垂直棒は一本の垂直棒であり、前記垂直棒の一端は、前記台座に取り外し可能に差し込まれて固定されることを特徴とする、請求項１または請求項２または請求項３に記載の靴ラック構造。
【請求項５】
前記少なくとも一つの垂直棒は、複数の垂直棒であり、前記支持部材はＩ型台座であり、各前記垂直棒は、前記Ｉ型台座の連結段に間隔をあけて設けられることを特徴とする、請求項１または請求項２または請求項３に記載の靴ラック構造。
【請求項６】
前記少なくとも一つの垂直棒は、一本の垂直棒であり、前記支持部材は、第一バーと第二バーとからなるとともに、それぞれ、前記垂直棒の両端に取り外し可能に連結され、前記第一バー及び前記第二バーにおける前記垂直棒と連結された端部と反対の端部は、取り外し可能に垂直面に固定されることを特徴とする、請求項１または請求項２または請求項３に記載の靴ラック構造。
【請求項７】
前記第一連結部材と前記第二連結部材は、オス、メス差込連結構造、或いは、オス、メス嵌合連結構造であることを特徴とする、請求項２に記載の靴ラック構造。
【請求項８】
前記靴置きモジュールは、第一板体と、第二板体と、前記第二連結部材とからなり、前記第一板体の一端は、前記第二板体の一端に、垂直方向に間隔をあけて且つ取り外し可能に連結され、前記第一板体と前記第二板体は同一方向を向き、前記第二連結部材は、前記第一板体と前記第二板体の連結箇所に設けられるとともに、前記第一板体と前記第二板体とは反対方向を向くことを特徴とする、請求項２に記載の靴ラック構造。
【請求項９】
前記靴置きモジュールは、第一板体と前記第二連結部材とからなり、前記第二連結部材は、前記第一板体の一端に外側を向けて連結されることを特徴とする、請求項２に記載の靴ラック構造。
【請求項１０】
前記垂直面は壁面であることを特徴とする、請求項６に記載の靴ラック構造。
【考案の詳細な説明】
【技術分野】
【０００１】
本考案は靴ラックの応用領域に関し、特に靴ラック構造に関する。
【背景技術】
【０００２】
従来の靴棚は、家の中で使用する場合、靴棚の体積が大きく室内のスペースが制限を受けてしまうため、往々にして、家の中の棚を置ける特定の位置に固定される。従って、状況に応じて頻繁に移動させることができない。このように、靴棚は、スペースの大きさに基づいて棚の位置の配置が考えられているため、靴を置いたり取出したりする際の利便性は考慮されていない。
【考案の概要】
【考案が解決しようとする課題】
【０００３】
そこで、本考案は、上述の問題を解決するために、構造がシンプルで組み立て解体が行いやすく、置く必要がある靴の数量に応じて増減できるため使用効率が高く、且つ、使用スペースを節約することができる靴ラック構造を提供することを目的とする。
【課題を解決するための手段】
【０００４】
上述の目的を達成するために、本考案による靴ラック構造は、支持部材と、少なくとも一つの垂直棒と、少なくとも一つの横向配置部材とからなる。少なくとも一つの垂直棒は、前記支持部材に取り外し可能に連結され、少なくとも一つの横向配置部材は、前記垂直棒の外側に嵌め込まれ、前記少なくとも一つの横向配置部材周縁には、少なくとも一つの第一連結部材が設けられる。
【０００５】
前述の靴ラック構造は、更に、少なくとも一つの靴置きモジュールを備え、少なくとも一つの靴置きモジュールは第二連結部材を備え、前記第二連結部材は、前記第一連結部材に取り外し可能に連結されて固定される。
【０００６】
その内、前記少なくとも一つの横向配置部材は複数の横向配置部材であり、各前記横向配置部材は、前記垂直棒の外側に間隔をあけて嵌め込まれる。
【０００７】
その内、前記支持部材は台座であり、前記少なくとも一つの垂直棒は一本の垂直棒であり、前記垂直棒の一端は、前記台座に取り外し可能に差し込まれて固定される。
【０００８】
その内、前記少なくとも一つの垂直棒は複数の垂直棒であり、前記支持部材はＩ型台座であり、各前記垂直棒は、前記Ｉ型台座の連結段に間隔をあけて設けられる。
【０００９】
その内、前記少なくとも一つの垂直棒は一本の垂直棒であり、前記支持部材は、第一バーと第二バーとからなるとともに、それぞれ、前記垂直棒の両端に取り外し可能に連結され、前記第一バー及び前記第二バーにおける前記垂直棒と連結された端部とは反対の端部は、取り外し可能に垂直面に固定され、前記垂直面は壁面である。
【００１０】
その内、前記第一連結部材と前記第二連結部材は、オス、メス差込連結構造、或いは、オス、メス嵌合連結構造である。
【図面の簡単な説明】
【００１１】
【図１】本考案による靴ラック構造の実施例１の一部を分解した状態を示した斜視図である。
【図２】本考案による靴ラック構造の実施例１の斜視図である。
【図３】図２内の構造に複数の靴置きモジュールを取り付けた状態を示した斜視図である。
【図４】本考案による靴ラック構造の実施例１における靴置きモジュールを横向配置部材に取り付けた状態を示した側面図である。
【図５】本考案による靴ラック構造の実施例１における靴置きモジュールの第二連結部材と横向配置部材の第一連結部材を上から見た状態を示した説明図である。
【図６】本考案による靴ラック構造の実施例２の斜視図である。
【図７】図６内の構造に複数の靴置きモジュールを取り付けた状態を示した斜視図である。
【図８】本考案による靴ラック構造の実施例３の斜視図である。
【図９】図８内の構造に複数の靴置きモジュールを取り付けた状態を示した斜視図である。
【図１０】本考案による靴ラック構造の実施例４の一部の斜視図である。
【図１１】本考案による靴ラック構造の実施例５の一部の斜視図である。
【考案を実施するための形態】
【００１２】
（実施例１）
図１から図５を参照する。図１は、本考案による靴ラック構造の実施例１の一部を分解した状態を示した斜視図であり、図２は、本考案による靴ラック構造の実施例１の斜視図であり、図３は、図２内の構造に複数の靴置きモジュールを取り付けた状態を示した斜視図であり、図４は、本考案による靴ラック構造の実施例１における靴置きモジュールを横向配置部材に取り付けた状態を示した側面図であり、図５は、本考案による靴ラック構造の実施例１における靴置きモジュールの第二連結部材と横向配置部材の第一連結部材を上から見た状態を示した説明図である。
【００１３】
本考案の靴ラック構造１は、支持部材２と、少なくとも一つの垂直棒３と、少なくとも一つの横向配置部材４と、少なくとも一つの靴置きモジュール５とからなる。
【００１４】
その内、垂直棒３は、支持部材２に取り外し可能に連結され、横向配置部材４は、垂直棒３の外側に嵌め込まれる。横向配置部材４の周縁には、少なくとも一つの第一連結部材４１が設けられる。靴置きモジュール５は、第二連結部材５１を備え、第二連結部材５１は、取り外し可能に第一連結部材４１に連結されて固定される。
【００１５】
本考案の実施例において、支持部材２は台座であり、少なくとも一つの垂直棒３は、単一の垂直棒であり、この単一の垂直棒の一端は、台座の支持部材２内に取り外し可能に差し込まれて固定される。
【００１６】
また、第一連結部材４１と第二連結部材５１は、オス、メス差込連結構造にすることができる。図５に示すように、第一連結部材４１は、差込溝であるメス構造にすることができ、第二連結部材５１は、Ｉ型突起レールのオス構造にすることができる。この構造により、Ｉ型突起レールの第二連結部材を、差込溝である第一連結部材４１に差し込むことができる。もちろん、第一連結部材４１と第二連結部材５１は、オス、メス嵌合連結構造にして、嵌め込むことで連結させることもでき（図示せず）、連結構造の形式はこれらに限定されるものではないものとする。
【００１７】
また、本考案の実施例において、靴置きモジュール５は、第一板体５２と、第二板体５３と、第二連結部材５１とからなる。第一板体５２の一端は、第二板体５３の一端に、垂直方向に間隔をあけ且つ取り外し可能に連結され、第一板体５２と第二板体５３は、同一方向を向く。第二連結部材５２は、第一板体５２と第二板体５３の連結箇所に設けられるとともに、第一板体５２と第二板体５３とは反対方向を向く。なお、第一板体５２と第二板体５３には、それぞれ、片方の靴７を置くことができる。
【００１８】
（実施例２）
図６と図７を参照する。図６は、本考案による靴ラック構造の実施例２の斜視図であり、図７は、図６内の構造に複数の靴置きモジュールを取り付けた状態を示した斜視図である。本考案の実施例２の靴ラック構造１は、前述した実施例１の靴ラック構造１に似ており、異なる箇所は、本考案の実施例２の靴ラック構造１の支持部材２は、第一バー２１と第二バー２２とからなり、それぞれ、垂直棒３の両端に取り外し可能に連結される、という点である。第一バー２１と第二バー２２における垂直棒３と連結された端部の反対の端部は、垂直面（例えば、壁面６）に、取り外し可能に固定される。
【００１９】
（実施例３）
図８と図９を参照する。図８は、本考案による靴ラック構造の実施例３の斜視図であり、図９は、図８内の構造に複数の靴置きモジュールを取り付けた状態を示した斜視図である。本考案の実施例３の靴ラック構造１は、前述した実施例２の靴ラック構造１と似ており、異なる箇所は、本考案の実施例３の靴ラック構造１の少なくとも一つの垂直棒３が、複数の垂直棒であり、支持部材２がＩ型台座であり、各垂直棒３が、Ｉ型台座である支持部材２の連結段２３に、間隔を空けて設けられる、という点である。
【００２０】
（実施例４）
図１０を参照する。図１０は、本考案による靴ラック構造の実施例４の一部の斜視図である。本考案の実施例４の靴ラック構造１は、前述した実施例１の靴ラック構造１と似ており、異なる箇所は、本考案の実施例４の靴ラック構造１の靴置きモジュール５は、一体成型構造である、という点である。実施例４の靴ラック構造１の靴置きモジュール５は、同様に、第一板体５２と、第二板体５３と、第二連結部材５１とからなり、第一板体５２の一端は、第二板体５３の一端に垂直方向に間隔をあけて連結され、第一板体５２と第二板体５３は同一方向を向き、第二連結部材５２は、第一板体５２と第二板体５３の連結箇所に設けられるとともに、第一板体５２と第二板体５３とは反対方向を向く。また、靴置きモジュール５は、短い接続部材５４を備え、第一板体５２の後端と第二板体５３の後端を連結するのに用いられる。なお、第一板体５２と第二板体５３には、それぞれ片方の靴（図示せず）を置くことができる。
【００２１】
（実施例５）
図１１を参照する。図１１は、本考案による靴ラック構造の実施例５の一部の斜視図である。本考案の実施例５の靴ラック構造１は、前述実施例４の靴ラック構造１と似ており、異なる箇所は、本考案の実施例５の靴ラック構造１の靴置きモジュール５は、第一板体５２と第二連結部材５１からなり、第二連結部材５１は、第一板体５２の一端に外側に向けて連結される、という点である。なお、第一板体５２には、片方の靴（図示せず）を置くことができる。
【００２２】
本考案は、横向配置部材４と垂直棒３を組み合わせることにより、構造がシンプルになり、組み立て解体が行いやすくなる。また、横向配置部材４の複数の第一連結部材４１の設計を利用することにより、複数の靴置きモジュール５の第一連結部材５１を取り外し可能に連結することができ、それにより、置く必要がある靴の数量に応じて増減させることができるため、使用効率を向上させることができる。また、本考案の構造は、垂直棒３を利用して、垂直方向に横向配置部材４を設け、且つ、靴置きモジュール５を、横向配置部材４に垂直方向に並べて設けているため、使用スペースを節約することができる。
【符号の説明】
【００２３】
１                   靴ラック構造
２                   支持部材
２１                 第一バー
２２                 第二バー
２３                 連結段
３                   垂直棒
４                   横向配置部材
４１                 第一連結部材
５                   靴置きモジュール
５１                 第二連結部材
５２                 第一板体
５３                 第二板体
５４        接続部材
６                   壁面
７                   靴
【図１】
0003179054.tif 000003
【図２】
0003179054.tif 000004
【図３】
0003179054.tif 000005
【図４】
0003179054.tif 000006
【図５】
0003179054.tif 000007
【図６】
0003179054.tif 000008
【図７】
0003179054.tif 000009
【図８】
0003179054.tif 000010
【図９】
0003179054.tif 000011
【図１０】
0003179054.tif 000012
【図１１】
0003179054.tif 000013